(57)【要約】      （修正有）【課題】多目的に使用できるユニットテーブルを提供する。【解決手段】木材または合板木材に形成したテーブル本体２の上面に着脱可能に自由天板２０を取付けて形成した主テーブルと、該主テーブルと同じ高さの支持脚３１を有する第１テーブル３０と、短尺な支持脚を有する一対の第２テーブルとにより構成され、前記主テーブルのテーブル本体２と自由天板２０と第１テーブル３０とを組み合わせてなる長テーブルＳや、前記自由天板２０と一対の第２テーブルとを組み合わせてなる座卓を組立可能に設けてなるものである。【選択図】図１８
0003146133.tif 000002
【実用新案登録請求の範囲】
【請求項１】
固定天板（３）の上面長手方向の両端に取付けた幕板（４）の両端垂直方向に、上端を前記幕板（４）の上端から突出させて複数の脚部（７）を設けたテーブル本体（２）と、該テーブル本体の上部に幅方向の左右両側に前記脚部（７）の先端と嵌合する嵌合凹部（２１）を有した自由天板（２０）を着脱可能に取付ける主テーブル（１）と、
前記主テーブル（１）の脚部（７）と同一長さを有する一対の支持脚（３１）と、一本の保持脚（３３）とで上下に位置させた二枚の上下テーブル板（３６ａ，３６ｂ）を支持し、前記支持脚（３１）の上端を上テーブル板（３６ａ）の上面から前記自由天板（２０）の厚さ分（Ｘ）を突出させ、前記保持脚（３３）の先端を上テーブル板（３６ａ）の上面から前記自由天板（２０）の約半分の厚さ分（Ｙ）を突出させて形成した第１テーブル（３０）とからなり、
前記主テーブル（１）のテーブル本体（２）および自由天板（２０）と、前記第１テーブル（３０）とを組立可能に組み合わせて長テーブル（Ｓ）を設けてなることを特徴とするユニットテーブル。
【請求項２】
固定天板（３）の上面長手方向の両端に取付けた幕板（４）の両端垂直方向に、上端を前記幕板（４）の上端から突出させて複数の脚部（７）を取付けて形成したテーブル本体（２）と、該テーブル本体の上部に幅方向の左右両側に前記脚部（７）の先端と係脱可能に嵌合する嵌合凹部（２１）を有した自由天板（２０）とからなる主テーブル（１）と、
短尺に形成した一対の支持脚（４１）と、同じく短尺な一本の保持脚（４３）とでテーブル板（４６）を支持し、前記支持脚（４１）の上端を前記テーブル板（４６）の上面から前記自由天板（２０）の厚さ分（Ｘ）を突出させ、前記保持脚（４３）の上端をテーブル板（４６）の上面から前記自由天板（２０）の約半分の厚さ分（Ｙ）を突出させて形成した一対の第２テーブル（４０）とからなり、
前記自由天板（２０）と、前記一対の第２テーブル（４０）とを組立可能に組み合わせて座卓（Ｔ）を設けてなることを特徴とするユニットテーブル。
【請求項３】
前記テーブル本体（２）と自由天板（２０）は、テーブル本体（２）の左右両端に設けた幕板（４）の中央に設けた一対の係止孔（５）と、前記自由天板（２０）の裏面中央長手方向で前記上幕板（４）と当接する位置に取付けた連結片（２２）に設けた一対のくさび孔（２３）とを合致させ、該くさび孔と前記係止孔（５）に固定軸（２８）を着脱可能に連結固定してなることを特徴とする請求項１又は２記載のユニットテーブル。
【請求項４】
前記自由天板（２０）は、裏面中央の左右対称位置に設けた連結片（２２）の内側で左右対称位置に、前記第１テーブル（３０）または第２テーブル（４０）の保持脚（３３）、（４３）の先端が嵌合する脚止凹部（２４）を設け、該脚止凹部の一側に前記第１テーブル（３０）または第２テーブル（４０）の保持脚（３３）、（４３）が脚止凹部（２４）からの離脱を防止するストッパー（２６）をそれぞれ設けたことを特徴とする請求項１から３のいずれか１記載のユニットテーブル。
【請求項５】
前記第１テーブル（３０）は、上テーブル板（３６ａ）の下面に取付けた幕板（３８）の両端垂直方向に取付けた一対の支持脚（３１）の幅を、前記テーブル本体（２）の脚部（７）の幅と同一幅に形成し、前記上テーブル板（３６ａ）の表面に前記自由天板（２０）の連結片（２２）が挿通する連結孔（３７）を設け、該連結孔の下側に位置した幕板（３８）の中央に前記連結片（２２）のくさび孔（２３）と合致する係止孔（３９）を設けてなることを特徴とする請求項１又は４記載のユニットテーブル。
【請求項６】
前記第２テーブル（４０）は、テーブル板（４６）の下面に取付けた幕板（４８）の両端垂直方向に取付けた一対の支持脚（４１）の幅を、前記テーブル本体（２）の脚部（７）の幅と同一幅に形成し、前記テーブル板（４６）の表面に前記自由天板（２０）の連結片（２２）が挿通する連結孔（４７）を設け、該連結孔の下側に位置した幕板（４８）の中央に前記連結片（２２）のくさび孔（２３）と合致する係止孔（４９）を設けてなることを特徴とする請求項２又は４記載のユニットテーブル。
【考案の詳細な説明】
【技術分野】
【０００１】
本考案は、ダイニングテーブルやサイドテーブルなどを組合わせて多目的に使用することのできるユニットテーブルに関する。
【背景技術】
【０００２】
従来から使用されている多種多様な家具のうち、テーブルは使用目的に合わせてそれぞれ高さの相違するダイニングテーブル、リビングテーブル、サイドテーブルまたは座卓などがある。これらのテーブルは、脚部の長さを自在に調整することが困難であるため、少人数の集まりやパーティーなどを行う場合、さらには、家事をしながら子供の勉強を見ることなど、１つのテーブルで多目的に使用することは困難である。
【０００３】
そのため、少人数の集まりやパーティーなどを行う場合、使用目的に合わせて脚の長さが同じであって、天板の面積が相違する複数のテーブルを組み合わせて広い天板に形成して使用することができる集合テーブルセットが知られている（参考文献１）。
【特許文献１】実用新案登録第３１４０５９３号
【０００４】
前記集合テーブルセットは、脚の高さが同じで天板の広さが相違する複数のテーブルを組み合わせて使用するもので、普通、家庭に於いて、天板の広さが相違するだけで同じ高さのテーブルを複数個備えておくことは、広い家の場合は別として通常は困難であり、且つ、使用目的に合わせて多数のテーブルを揃えることが大変不経済であるなど多くの問題点を有している。
【考案の開示】
【考案が解決しようとする課題】
【０００５】
本考案が解決しようとする課題は、少人数の集まりやパーティーなどを行う場合、一つの主テーブルとそれぞれ高さの相違する複数のサイドテーブルを使用目的に合わせて組み合わせることにより、それぞれ用途に合わせてバリエーションが豊富で高さの相違するユニットテーブルを提供するものである。
【課題を解決するための手段】
【０００６】
上記課題を達成するために本考案は、固定天板３の上面長手方向の両端に取付けた幕板４の両端垂直方向に、上端を前記幕板４の上端から突出させて複数の脚部７を取付けて形成したテーブル本体２と、該テーブル本体の上部に幅方向の左右両側に前記脚部７の先端と嵌合する嵌合凹部２１を有した自由天板２０を着脱可能に取付ける主テーブル１と、前記主テーブル１の脚部７と同一長さを有する一対の支持脚３１と、一本の保持脚３３とで上下に位置させた二枚の上下テーブル板３６ａ，３６ｂを支持し、前記支持脚３１の上端を上テーブル板３６ａの上面から前記自由天板２０の厚さ分Ｘを突出させ、前記保持脚３３の先端を上テーブル板３６ａの上面から前記自由天板２０の約半分の厚さ分Ｙを突出させて形成した第１テーブル３０とからなり、前記主テーブル１のテーブル本体２および自由天板２０と第１テーブル３０とを組み合わせて長テーブルＳを組立可能に設けてなることを特徴とする。また、固定天板３の上面長手方向の両端に取付けた幕板４の両端垂直方向に、上端を前記幕板４の上端から突出させて複数の脚部７を取付けて形成したテーブル本体２と、該テーブル本体の上部に幅方向の左右両側に前記脚部７の先端と係脱可能に嵌合する嵌合凹部２１を有した自由天板２０とからなる主テーブル１と、短尺に形成した一対の支持脚４１と、同じく短尺な一本の保持脚４３とでテーブル板４６を支持し、前記支持脚４１の上端を前記テーブル板４６の上面から前記自由天板２０の厚さ分Ｘを突出させ、前記保持脚４３の上端をテーブル板４６の上面から前記自由天板２０の約半分の厚さ分Ｙを突出させて形成した一対の第２テーブル４０とからなり、前記自由天板２０と一対の第２テーブル４０とを組立可能に組み合わせた座卓Ｔを設けてなることを特徴とする。さらに、前記テーブル本体２と自由天板２０は、テーブル本体２の左右両端に設けた幕板４の中央に設けた一対の係止孔５と、前記自由天板２０の裏面中央長手方向で前記上幕板４と当接する位置に取付けた連結片２２に設けた一対のくさび孔２３とを合致させ、該くさび孔と前記係止孔５に固定軸２８を着脱可能に連結固定してなることを特徴とする。さらにまた、前記自由天板２０は、裏面中央の左右対称位置に設けた連結片２２の内側で左右対称位置に、前記第１テーブル３０または第２テーブル４０の保持脚３３、４３の先端が嵌合する脚止凹部２４を設け、該脚止凹部の一側に前記第１テーブル３０または第２テーブル４０の保持脚３３、４３が脚止凹部２４からの離脱を防止するストッパー２６をそれぞれ設けたことを特徴とする。また、前記第１テーブル３０は、上テーブル板３６ａの下面に取付けた幕板３８の両端垂直方向に取付けた一対の支持脚３１の幅を、前記テーブル本体２の脚部７の幅と同一幅に形成し、前記上テーブル板３６ａの表面に前記自由天板２０の連結片２２が挿通する連結孔３７を設け、該連結孔の下側に位置した幕板３８の中央に前記連結片２２のくさび孔２３と合致する係止孔３９を設けてなることを特徴とする。さらにまた、前記第２テーブル４０は、テーブル板４６の下面に取付けた幕板４８の両端垂直方向に取付けた一対の支持脚４１の幅を、前記テーブル本体２の脚部７の幅と同一幅に形成し、前記テーブル板４６の表面に前記自由天板２０の連結片２２が挿通する連結孔４７を設け、該連結孔の下側に位置した幕板４８の中央に前記連結片２２のくさび孔２３と合致する係止孔４９を設けてなることを特徴とする。
【０００７】
したがって、テーブル本体２の上部に着脱可能に取付けた自由天板２０を有する主テーブル１と、前記主テーブル１と同じ高さの支持脚３１を有する第１テーブル３０との組み合わせ、または、短尺な支持脚４１を有する一対の第２テーブル４０と自由天板２０とを組み合わせることなどにより、使用目的に合わせてバリエーションに富んだユニットテーブルを提供することができる。
【考案を実施するための最良の形態】
【０００８】
以下、本考案の実施の形態を図面に基づいて説明すると、図１は本考案にかかる主テーブルの平面図、図２は図１のＡ―Ａ線断面図、図３は主テーブルの側面図、図４は自由天板の裏面図、図５は自由天板の正面図、図６は自由天板の側面図、図７はテーブル本体の側面図、図８はテーブル本体に自由天板を連結した状態を示す要部拡大断面図、図９は第１テーブルの平面図、図１０は第１テーブルの正面図、図１１は第１テーブルの側面図、図１２は第２テーブルの平面図、図１３は第２テーブルの正面図、図１４は第２テーブルの側面図である。本考案に係るユニットテーブルは、木材または合板木材で形成したテーブル本体２の上面に、自由天板２０を着脱可能に取付けて形成した主テーブル１と、該主テーブルと同じ高さの支持脚３１を有する第１テーブル３０と、短尺な支持脚４１を有する一対の第２テーブル４０とにより構成されている。
【０００９】
前記主テーブル１のテーブル本体２は、図１、２、３、７に示すごとく、全体を矩形に形成した固定天板３を、例えば、長さ１４００ｍｍ、幅５００ｍｍ、厚さ分２０ｍｍに形成し、該固定天板の長手方向の略両端上下両面の幅方向に、該固定天板から両端をはみ出して幕板４、６をそれぞれ取付けてある。該幕板の両端垂直方向に、例えば、長さ７２０ｍｍの脚部７をそれぞれ取付けて形成し、前記テーブル本体２の上面には前記固定天板３より広い、例えば、長さ１５００ｍｍまたは１８００ｍｍ、幅７００ｍｍ、厚さ分３０ｍｍに形成した自由天板２０を着脱可能に取付けてダイニングテーブルを形成してある。
【００１０】
前記脚部７の上端には、前記幕板４の上端面から前記自由天板２０の厚さ分Ｘだけ突出した係止突部８を設け、前記固定天板３の左右両側に設けた幕板４の中央に、前記自由天板２０の裏面に設けた連結片２２のくさび孔２３と合致させる一対の係止孔５をそれぞれ設けてある。
【００１１】
１０は前記テーブル本体２の下方に取付けた支持杆で、該支持杆の両端に設けた係止突起１１を前記テーブル本体２の脚部７に取付けた固定幕板１７の係止孔１８に挿通し、前記係止突起１１に設けた楔孔１２に楔１３を差し込んで固定してある。１５は前記固定天板３と前記幕板４とを連結固定する補強片である。１６は一対の固定保持板で、前記固定天板の裏面中央長手方向に取付け、両端を前記下幕板６に固着してある。
【００１２】
前記自由天板２０は、図４〜６に示すごとく、全体を矩形に形成し、幅方向の両側縁に前記テーブル本体２の脚部７上端の係止突部８と嵌合する嵌合凹部２１をそれぞれ設け、裏面中央長手方向の左右両側に前記幕板４とそれぞれ当接する連結片２２をそれぞれ取付け、該連結片に前記幕板４の中央に設けた一対の係止孔５と合致する一対のくさび孔２３を設けてある。
【００１３】
２４は前記自由天板２０の裏面中央長手方向の左右対称位置に設けた脚止凹部で、該脚止凹部内に嵌合させた緩衝板２５を介して前記第１テーブル３０の保持脚３３、または第２テーブル４０の保持脚４３をそれぞれ嵌合可能に係止させる。
【００１４】
２６は前記脚止凹部２４の一側にそれぞれ取付けたストッパーで、前記自由天板２０の裏面に取付けた、例えば公知のフランス落としなどからなる。図４、２１に示すごとく、ストッパー２６内に前後動可能に収容した可動ピン２７を、前記脚止凹部２４に嵌合した保持脚３３、４３の略上端に設けたピン孔３５、４５に挿通させて、保持脚３３、４３が脚止凹部２４から離脱するのを防止している。
【００１５】
前記第一テーブル３０は、通常、飾り棚、またはサイドテーブルとして使用するもので、図９〜１１に示すごとく、上下にそれぞれ位置した一対の上下テーブル板３６ａ、３６ｂを、前記主テーブル１の脚部７と同一長さと同一幅を有する一対の支持脚３１、３１と、一本の保持脚３３とで支持してある。
【００１６】
前記保持脚３３の上方に設けた保持部３４に、前記自由天板２０の裏面に設けたストッパー２６の可動ピン２７が挿通するピン孔３５を設けてある。前記第１テーブル３０の上部テーブル板３６ａの表面には、前記自由天板２０の連結片２２が挿通する連結孔３７を設け、該連結孔の下側に位置した幕板３８の中央に連結片２２のくさび孔２３と合致する位置に一対の係止孔３９を設けてある。
【００１７】
前記第２テーブル４０は、第１テーブル３０と同様に飾り棚、またはサイドテーブルとして使用するもので、図１２〜１４に示すごとく、テーブル板４６の下面に取付けた幕板４８の両端垂直方向に、短尺（前記主テーブル１の脚部７の約半分の長さ、例えば、３６０ｍｍ）で、主テーブル１の脚部７と同一幅を有する一対の支持脚４１と、同じく短尺な一本の保持脚４３とで支持してある。
【００１８】
前記保持脚４３の上端に設けた保持部４４に、前記自由天板２０の裏面に設けたストッパー２６の可動ピン２７が挿通するピン孔４５を設けてある。前記第２テーブル４０のテーブル板４６の表面には、前記自由天板２０の連結片２２が挿通する連結孔４７を設け、該連結孔の下側に位置した幕板４８の中央に前記連結片２２のくさび孔２３と合致する一対の係止孔３９を設けてある。
【００１９】
図１５に示すごとく、前記第１テーブル３０と第２テーブル４０の支持脚３１、４１は、それぞれ上端をテーブル板３６ａ、４６の上端から自由天板２０の厚さ分Ｘ（３０ｍｍ）だけ突出させて係止突部３２、４２を一体に形成し、該係止突部を前記自由天板２０の嵌合凹部２１と嵌合可能に形成してある。
【００２０】
図１６に示すごとく、前記第１テーブル３０と第２テーブル４０の保持脚３３、４３は、該保持脚の上端をテーブル板３６ａ、４６の上端から自由天板２０の脚止凹部２４の深さＹ（６ｍｍ）だけ突出させて保持部３４、４４を一体に形成し、前記自由天板２０の脚止凹部２４内に緩衝板２５を介して嵌合可能に形成してある。
【００２１】
以下、本考案の実施形態の作用について説明すると、主テーブル１に取付けた自由天板２０は、図８に示すごとく、テーブル本体２の上面に突出した脚部７の係止突部8に嵌合凹部２１を嵌合させ、テーブル本体２の幕板４と、自由天板２０の連結片２２とを当接させ、前記幕板４の係止孔５と連結片２２のくさび孔２３とを合致させ、該孔２３に先端を細く後端が太い固定軸２８を挿通して連結固定することにより、テーブル本体２より自由天板２０が離脱するのを防止し、高さ７２０ｍｍのダイニングテーブルを形成してある。
【００２２】
この主テーブル１と第１テーブル３０または第２テーブル４０を組み合わせ、使用目的に合わせたユニットテーブルの組立てについて説明すると、図１７〜図２１に示すごとく、少人数の集まりやパーティー、または、家事をしながら子供の勉強などを見ることのできる長テーブルＳを形成する場合には、主テーブル１と第１テーブル３０とを使用する。
【００２３】
主テーブル１は、テーブル本体２の固定天板３と自由天板２０との二枚の長尺な天板を有することから、テーブル本体２から自由天板２０を外し、テーブル本体２の長手方向延長線上に第１テーブル３０を位置させる。第１テーブル３０の配置方向は、図１７に示すごとく、支持脚３１を外側に保持脚３３をテーブル本体２方向に位置させる。次いで、自由天板２０の長手方向に設けた一方の嵌合凹部２１をテーブル本体２の脚部７先端の係止突部８に嵌合させ、他方を第１テーブル３０の支持脚３１上端の係止突部３２と嵌合させる。
【００２４】
自由天板２０を第１テーブル３０に嵌合する場合、嵌合凹部２１を支持脚３１の係止突部３２に嵌合させると同時に、自由天板２０の連結片２２を第１テーブル３０の上テーブル３６ａに設けた連結孔３７に差し込み、該連結片のくさび孔２３と幕板３８の係止孔３９とを合致させて固定軸２８でそれぞれ連結固定する。
【００２５】
第１テーブル３０の保持脚３３は、図２０、２１に示すごとく、該保持脚上の先端の保持部３４を自由天板２０の脚止凹部２４に緩衝板２５を介して嵌合し、該脚止凹部の一側に設けたストッパー２６の可動ピン２７を保持部３４のピン孔３５に挿通して係止することにより、第１テーブル３０は自由天板２０から離脱するのを防止してテーブル脚としての安定性を図ることができる。
【００２６】
自由天板２０の他方は、テーブル本体２の脚部７先端の係止突部８と、自由天板２０の嵌合凹部２１とを嵌合させると同時に、幕板４の係止孔５と連結片２２のくさび孔２３とを合致させて固定軸２８でそれぞれ連結固定して長テーブルＳを形成することができる。
【００２７】
この長テーブルＳは、一方に広い自由天板２０、他方に一段低い固定天板３をそれぞれ露出させて延長して形成したことにより、段違いの二枚の天板を使用することにより、少人数の集まりやパーティー用のテーブルに変身させることができ、また、段違いにすることにより、家事をしながら一段低い固定天板３に子供を座らせて勉強などを見ることもできる。
【００２８】
図２２〜図２３に示すごとく、主テーブル１の自由天板２０と、一対の第２テーブル４０を使用して天板の高さを低くしたリビングテーブルやお座敷の座卓Ｔとして使用する場合は、テーブル本体２と自由天板２０を連結している連結軸２８を外し、自由天板２０をテーブル本体２から離脱させた後、該自由天板２０の両側に一対の第２テーブル４０、４０を位置させて、高さの低いリビングテーブルに変化させることができる（図２２)。
【００２９】
この第２テーブル４０の配置方向は、図２２に示すごとく、支持脚４１をそれぞれテーブル本体２の脚部７と同じ位置に配置し、保持脚４３を自由天板２０の裏面に設けた脚止凹部２４と合致するする位置に配置する。次いで、自由天板２０の嵌合凹部２１を左右対称位置に配置した第２テーブル４０の支持脚４１に設けた係止突部４２にそれぞれ嵌合させると同時に、自由天板２０の連結片２２をテーブル板４６の連結孔４７に嵌合して固定する。
【００３０】
前記連結孔４７に連結片２２を挿入すると、該連結片２２のくさび孔２３と幕板４８の係止孔４９とが合致し、当該孔に固定軸２８を挿通して連結固定し、他方、自由天板２０の脚止凹部２４に嵌合した保持脚４３の保持部４４は、脚止凹部２４の一側に設けたストッパー２６の可動ピン２７を保持部４４のピン孔４５に挿通させて係止し、自由天板２０と第２テーブル４０を連結固定して離脱を防止し、テーブル脚としての安定性を図ることにより座卓Ｔを形成する。
【００３１】
その他のバリエーションとして、主テーブル１用の椅子（図示せず）や長いす（図示せず）の背もたれ部分に自由天板２０の連結片２２に設けたくさび孔と合致する連結孔を設けて連結可能に形成することにより、さらに高さの相違するバリエーションに富んだ各種のユニットテーブルを形成することができるのは勿論である。
【図面の簡単な説明】
【００３２】
【図１】本考案にかかる主テーブルの平面図である。
【図２】図１のＡ―Ａ線断面図である。
【図３】主テーブルの側面図である。
【図４】自由天板の裏面図である。
【図５】自由天板の正面図である。
【図６】自由天板の側面図である。
【図７】テーブル本体の側面図である。
【図８】テーブル本体に自由天板を連結した状態を示す要部拡大断面図である。
【図９】第１テーブルの平面図である。
【図１０】第１テーブルの正面図である。
【図１１】第１テーブルの側面図である。
【図１２】第２テーブルの平面図である。
【図１３】第２テーブルの正面図である。
【図１４】第２テーブルの側面図である。
【図１５】支持脚に設けた係止突部Ｘを示す要部拡大図である。
【図１６】保持脚に設けた保持部Ｙを示す要部拡大図である。
【図１７】主テーブルと第１テーブルとを組み合わせて形成した長テーブルＳの平面図である。
【図１８】主テーブルと第１テーブルとを組み合わせて形成した長テーブルＳの側面図である。
【図１９】自由天板の嵌合凹部に脚部または支持脚の係止突部Ｘが嵌合した状態を示す要部拡大図である。
【図２０】自由天板の脚止凹部に保持脚の保持部Ｙが嵌合した状態を示す要部拡大図である。
【図２１】脚止凹部の一側に取付けたストッパーで保持脚の保持部に設けたピン孔に可動ピンを挿通して固定した状態の一部破断した要部拡大図である。
【図２２】主テーブルと一対の第２テーブルとを組み合わせて形成した座卓の平面図である。
【図２３】主テーブルと一対の第２テーブルとを組み合わせて形成した座卓の側面図である。
【符号の説明】
【００３３】
１      主テーブル
２      テーブル本体
３      固定天板
４      幕板
５      係止孔
７      脚部
１０    支持杆
１１    係止突起
２０    自由天板
２１    嵌合凹部
２２    連結片
２３    くさび孔
２４    脚止凹部
２６    ストッパー
２８    固定軸
３０    第１テーブル
３１    支持脚
３３    保持脚
３６ａ  テーブル板
３６ｂ  テーブル板
３７    連結孔
３８    幕板
３９    係止孔
４０    第２テーブル  
４１    支持脚
４３    保持脚
４６    テーブル板
４７    連結孔
４８    幕板
４９    係止孔
４５    ピン孔
４６    テーブル板
４７    連結孔
４８    幕板  
４９    係止孔
【図１】
0003146133.tif 000003
【図２】
0003146133.tif 000004
【図３】
0003146133.tif 000005
【図４】
0003146133.tif 000006
【図５】
0003146133.tif 000007
【図６】
0003146133.tif 000008
【図７】
0003146133.tif 000009
【図８】
0003146133.tif 000010
【図９】
0003146133.tif 000011
【図１０】
0003146133.tif 000012
【図１１】
0003146133.tif 000013
【図１２】
0003146133.tif 000014
【図１３】
0003146133.tif 000015
【図１４】
0003146133.tif 000016
【図１５】
0003146133.tif 000017
【図１６】
0003146133.tif 000018
【図１７】
0003146133.tif 000019
【図１８】
0003146133.tif 000020
【図１９】
0003146133.tif 000021
【図２０】
0003146133.tif 000022
【図２１】
0003146133.tif 000023
【図２２】
0003146133.tif 000024
【図２３】
0003146133.tif 000025